(57)【要約】【課題】  カメラ起動に関するユーザーの使い勝手が良く、かつ消費電力が少なく待ち受け時間の長いカメラ付き携帯電話機を得る。【解決手段】  本体制御部により初期設定データを書き込まれるカメラ用メモリと、カメラモジュールから入力する画像データを信号処理する画像信号処理部と、前記カメラ用メモリに書き込まれた初期設定データを用いて前記画像信号処理部の信号処理を制御するカメラ制御部とからなるカメラ用集積回路を搭載したカメラ付き携帯電話機において、前記本体制御部が、電源立ち上げ時に前記カメラ用メモリへ前記初期設定データを書き込むと共に、カメラ起動待機状態時に継続して電源供給して前記初期設定データを記憶保持させ、かつ、前記画像信号処理部及びカメラ制御部へ前記カメラ起動待機状態時に電源供給せず、カメラの起動及び動作中に電源供給する。【選択図】          図１
2005110157.tif 000002
【特許請求の範囲】
【請求項１】
本体制御部により初期設定データを書き込まれるカメラ用メモリと、カメラモジュールから入力する画像データを信号処理する画像信号処理部と、前記カメラ用メモリに書き込まれた初期設定データを用いて前記画像信号処理部の信号処理を制御するカメラ制御部とからなるカメラ用集積回路を搭載したカメラ付き携帯電話機において、
前記本体制御部は、電源立ち上げ時に前記カメラ用メモリへ前記初期設定データを書き込むと共に、カメラ起動待機状態時に継続して電源供給して前記初期設定データを記憶保持させ、かつ、前記画像信号処理部及びカメラ制御部へ前記カメラ起動待機状態時に電源供給せず、カメラの起動及び動作中に電源供給することを特徴とするカメラ付き携帯電話機。
【請求項２】
本体制御部により初期設定データを書き込まれるカメラ用メモリと、カメラモジュールから入力する画像データを信号処理する画像信号処理部と、前記カメラ用メモリに書き込まれた初期設定データを用いて前記画像信号処理部の信号処理を制御するカメラ制御部とからなるカメラ用集積回路を搭載したカメラ付き携帯電話機の電源制御方法において、
当該カメラ付き携帯電話機の電源立ち上げ時に、前記カメラ用メモリへ電源供給すると共に初期設定データを書き込む初期設定ステップ、
前記カメラ用メモリへ継続して電源供給し、前記初期設定ステップで書き込まれた初期設定データを記憶保持させるカメラ起動待機ステップ、
このカメラ起動待機ステップ中に前記画像信号処理部及びカメラ制御部へ電源供給してカメラ機能を起動させる起動ステップ、
この起動ステップに引き続き前記画像信号処理部及びカメラ制御部へ電源供給してカメラ機能を動作させるカメラ動作ステップ、
このカメラ動作ステップ中に前記画像信号処理部及びカメラ制御部への電力供給を停止してカメラ機能を終了する終了ステップを含む電源制御方法。
【発明の詳細な説明】
【技術分野】
【０００１】
この発明は、カメラ付き携帯電話機におけるカメラ部の電源制御に関する。
【背景技術】
【０００２】
従来の電源制御方法としては、パーソナル通信端末において、複数の機能ブロック中の所要の機能ブロックに対し、第１段階では前記所要の機能ブロック中の所定機能ブロックに電源供給し、第２段階では前記所要の機能ブロック中の残りの機能ブロック中の所定機能ブロックに電源供給し、以下同様にして所要機能ブロックに段階的に電源電力の供給を行うよう制御していた。（例えば、特許文献１参照）
【０００３】
【特許文献１】特開平９−１３０４５７号公報（第１頁、第１図）
【発明の開示】
【発明が解決しようとする課題】
【０００４】
近年、携帯電話機には様々な機能が追加されてきており、カメラ機能もその一つである。携帯電話機においてカメラ機能は常時使用されるものではないので、消費電力を低減するために、カメラが動作していない状態ではカメラ部に電源供給を行わないことが望ましい。一方、カメラ機能は、携帯電話機の電源が入っている状態で、何回か起動／終了を繰り返すものでもある。携帯電話機に搭載されるカメラは、起動する際に画像信号処理に使用するデータを初期設定する必要があり、この初期設定データのデータ量が非常に多く設定に時間がかかる。したがって、上記従来技術のような携帯電話機の電源立ち上げ後、機能ブロック毎段階的に電源投入を行う制御によると、カメラを起動する度にカメラ部の電源を投入し初期設定データをカメラ部に設定することになり、カメラ起動時に時間がかかり、ユーザーの使い勝手が悪いという問題点があった。
【０００５】
また、前述の初期設定をあらかじめ行いカメラ不使用時にもカメラを起動状態にしておくと、カメラの起動時間は短縮されユーザーの使い勝手は良いが、カメラ部に常時電源供給することになり消費電力の低減ができないという問題点があった。
【０００６】
この発明は、上記の問題点を解決するためになされたものであり、カメラ起動時のユーザーの使い勝手を損なわず、かつ消費電力を低減し、待ち受け時間の長いカメラ付き携帯電話機を得ることを目的とする。
【課題を解決するための手段】
【０００７】
この発明のカメラ付き携帯電話機は、本体制御部により初期設定データを書き込まれるカメラ用メモリと、カメラモジュールから入力する画像データを信号処理する画像信号処理部と、前記カメラ用メモリに書き込まれた初期設定データを用いて前記画像信号処理部の信号処理を制御するカメラ制御部とからなるカメラ用集積回路を搭載したカメラ付き携帯電話機であって、前記本体制御部は、電源立ち上げ時に前記カメラ用メモリへ前記初期設定データを書き込むと共に、カメラ起動待機状態時に継続して電源供給して前記初期設定データを記憶保持させ、かつ、前記画像信号処理部及びカメラ制御部へ前記カメラ起動待機状態時に電源供給せず、カメラの起動及び動作中に電源供給するものである。
【０００８】
また、この発明の電源制御方法は、本体制御部により初期設定データを書き込まれるカメラ用メモリと、カメラモジュールから入力する画像データを信号処理する画像信号処理部と、前記カメラ用メモリに書き込まれた初期設定データを用いて前記画像信号処理部の信号処理を制御するカメラ制御部とからなるカメラ用集積回路を搭載したカメラ付き携帯電話機の電源制御方法であって、当該カメラ付き携帯電話機の電源立ち上げ時に、前記カメラ用メモリへ電源供給すると共に初期設定データを書き込む初期設定ステップ、前記カメラ用メモリへ継続して電源供給し、前記初期設定ステップで書き込まれた初期設定データを記憶保持させるカメラ起動待機ステップ、このカメラ起動待機ステップ中に前記画像信号処理部及びカメラ制御部へ電源供給してカメラ機能を起動させる起動ステップ、この起動ステップに引き続き前記画像信号処理部及びカメラ制御部へ電源供給してカメラ機能を動作させるカメラ動作ステップ、このカメラ動作ステップ中に前記画像信号処理部及びカメラ制御部への電源供給を停止してカメラ機能を終了する終了ステップを含む。
【発明の効果】
【０００９】
この発明のカメラ付き携帯電話機は、電源立ち上げ時にカメラ用メモリへ初期設定データを書き込むとともに、カメラ起動待機状態時に継続して電源供給して前記初期設定データを記憶保持させ、前記画像信号処理部およびカメラ制御部へカメラ起動待機状態時に電源供給せずカメラの起動および動作中に電源供給するので、カメラ起動時間を短縮でき、かつ電力消費を削減できるという効果を奏する。
【００１０】
また、この発明の電源制御方法は、電源立ち上げ時にカメラ用メモリへ初期設定データを書き込み、カメラ用メモリへ継続して電源供給し初期設定データを記憶保持させ、カメラ起動待機中に画像信号処理部およびカメラ制御部へ電源供給しカメラ機能を起動するようにしたので、カメラ付き携帯電話機のカメラ起動時間を短縮でき、かつ電力消費を削減できるという効果を奏する。
【発明を実施するための最良の形態】
【００１１】
以下、この発明の最適な実施の形態を、図を用いて説明する。
実施の形態１．
図１は、この発明の実施の形態１に係る携帯電話機の構成を示す機能ブロック図である。図において、１はアンテナであり、図示しない基地局との間で高周波信号を送受信する。２はアンテナ１に接続され、前記高周波信号を処理する無線部であり、無線部２に入出力されるベースバンド信号はアナログベースバンド部３で信号処理される。４は、デジタルベースバンド部であり、アナログベースバンド部４、音声コーデック部５、カメラ部８、キー操作部９、および表示部１０と接続され、各部の制御およびデジタル信号処理を行う。
【００１２】
音声コーデック部５は、デジタルベースバンド部４で信号処理されるデジタル信号の符号化、復号化を行う。音声コーデック部５において、デジタルベースバンド部４から入力され復号化された信号はスピーカー７より音声として出力され、マイクロフォン６から入力された音声は符号化されデジタルベースバンド部５へ出力される。キー操作部９は電源キー、通話開始キー、終話キー、テンキー、カメラ起動キー、カメラ終了キー、シャッターボタンなどを含み構成され、ユーザーによりキー操作がなされると、操作するキーに対応する信号をデジタルベースバンド部４へ出力する。表示部１０はＬＣＤ、ＬＣＤドライバを含み構成され、文字、画像、カメラ部８で撮影された映像などを表示する。カメラ部８は撮影機能、および画像処理機能を有する。カメラ部８およびデジタルベースバンド部４の詳細は、図２を用い説明する。
【００１３】
図２は、カメラ部８、およびデジタルベースバンド部４のうちカメラ部８の制御に関係する部分の詳細を示すブロック図である。図において、デジタルベースバンド部４は、ＣＰＵ（制御部）４１、メモリ４２、電源供給部４３を含み構成され、カメラ部８は、カメラモジュール８１、およびカメラＡＳＩＣ（カメラ用集積回路）８２を含み構成される。カメラモジュール８１は、レンズ、ＣＣＤなどの撮像素子を含み、カメラ用ＣＰＵ８２１の制御により光（映像）信号を電気信号（画像データ）に変換する機能を有する。カメラＡＳＩＣ８２は、カメラ用ＣＰＵ（カメラ制御部）８２１、カメラ用メモリ８２２、画像信号処理部８２３を含む。
【００１４】
デジタルベースバンド部４において、ＣＰＵ４１はメモリ４２、電源供給部４３と接続され、メモリ４２に記憶されたデータの入出力、電源供給部４３の電源供給先の指定などの制御を行う。また、カメラ部８と接続され、カメラ用ＣＰＵ８２１に対するカメラ起動／終了の指示、画像信号処理部８２３から画像データを入力し、メモリ４２への記憶または表示部１０への表示等の制御を行う。メモリ４２には、カメラ部８を初期設定するための初期設定データがあらかじめ記憶されている。電源供給部４３には、カメラ用メモリ８２２へ電源供給する電源線２１と、カメラ用ＣＰＵ８２１、画像信号処理部８２３などカメラＡＳＩＣ８２のカメラ用メモリ８２２以外の部分へ電源供給する電源線２２が接続され、ＣＰＵ４１の制御により電源供給先を変更し電源供給する機能を有する。
【００１５】
カメラＡＳＩＣ８２において、カメラ用メモリ８２２は、電源供給されることにより記憶内容を保持する読み書き可能なメモリであり、例えばＳＲＡＭである。カメラ用メモリ８２２には、初期設定データを記憶する保存領域、およびカメラ動作中に制御データを一時記憶する作業領域が含まれ、これらのデータはカメラ用ＣＰＵ８２１の制御により入出力される。前記保存領域に記憶される初期設定データは、メモリ４２にあらかじめ記憶されているものであり、ＣＰＵ４１の制御によりメモリ４２から読み出され書き込まれる。また、カメラ用ＣＰＵ８２１は、カメラ用メモリ８２２、画像信号処理部８２３、カメラモジュール８１、およびＣＰＵ４１と接続され、ＣＰＵ４１からの制御をうけ、カメラ用メモリ８２２に記憶された初期設定データに基づき各部の制御を行う。さらに、画像信号処理部８２３は、前記初期設定データを用いたカメラ用ＣＰＵ８２１からの制御に基づき、カメラモジュール８１から入力した信号に対して、センサ（撮像素子）出力補正処理、フィードバック制御用計測、画素補間などの画像形成処理、階調補正や色変換などの画質補正処理、フォーマット変換などの出力インタフェース処理等を行う。カメラＡＳＩＣ８２は、カメラ用メモリ８２２へ電源供給するための電源線２１と、その他の部分へ電源供給するための電源線２２が接続され、カメラ用メモリ８２２のみへの電源供給が可能なように各部が配置、形成されいる。
【００１６】
ここで、カメラ部８を初期設定するための初期設定データとしては、センサ出力補正処理に使用する欠陥画素関連データ、カメラモジュール８１へのフィードバック制御に使用するホワイトバランス制御関連データや自動露光関連データ、また、画像形成処理に使用する画素関連データ、画質補正処理に使用するコントラスト制御データやフィルタ関連データ、出力インタフェース処理に使用するＪＥＰＧ圧縮データなど様々なものがあり、各データが数百から数ｋバイトの容量を持ち、総容量は例えば１０ｋバイト程度になる。
【００１７】
次に、カメラ部８に関する動作を図３を用いて説明する。まず、操作キー９に含まれる電源キーが押下されると（ステップＳ３０１）、携帯電話機の電源が立ち上げられ（電源立ち上げ時、ステップＳ３０２）、ＣＰＵ４１はカメラＡＳＩＣ８２全体へ電源供給がなされるよう電源供給部４３を制御する。ＣＰＵ４１はメモリ４２からカメラ部の初期設定データを読み出し、これをカメラ用ＣＰＵ８２１を介しカメラ用メモリ８２２の保存領域へ書き込む（ステップＳ３０３）。上記読み出しからカメラ用メモリ８２２への書き込みにかかる時間は、例えば前述のように初期設定データが１０ｋバイト程度の場合１秒程度である。
【００１８】
カメラ用メモリ８２２への初期設定データの書き込みを終了すると、ＣＰＵ４１はカメラＡＳＩＣ８２のカメラ用メモリ８２２以外の部分であるカメラ用ＣＰＵ８２１、画像信号処理部８２３への電源供給を停止するよう電源供給部４３を制御する。カメラ用メモリ８２２は電源供給部４３から電源線２１により継続して電源供給を受け、書き込まれた初期設定データを保持する（ステップＳ３０４）。上記動作により、携帯電話機の電源立ち上げ後、カメラが起動していないカメラ起動待機状態では、カメラＡＳＩＣ８２のうちカメラ用メモリ８２２へのみ電源供給を行い初期設定データを保持するという状態が維持される。
【００１９】
尚、本実施の形態１では、カメラ用メモリ８２２への初期設定データの書き込みをＣＰＵ４１からカメラ用ＣＰＵ８２１を介して行うようにハードウエアを構成しているが、ＣＰＵ４１からカメラ用メモリ８２２へ直接初期設定データを書き込むようハードウエアを構成することも可能である。この場合、上記ステップＳ３０３においてカメラ用メモリ８２２へのみ電源供給を行えばよく、従いステップＳ３０４においてカメラ用ＣＰＵ８２１、画像信号処理部８２３への電源供給を停止する処理は発生しない。
【００２０】
カメラ起動時、操作キー９に含まれるカメラ起動キーが押下されると（ステップＳ３０５）、図２においてＣＰＵ４１がカメラ用ＡＳＩＣ８２のカメラ用メモリ８２２以外の部分、すなわちカメラ用ＣＰＵ８２１、画像信号処理部８２３への電源供給を行うよう電源供給部４３を制御する。このとき、カメラ用メモリ８２２は、カメラ起動待機状態時から引き続いて電源供給を受けており、カメラＡＳＩＣ８２全体が電源供給を受けてカメラを起動する（ステップＳ３０６）。電源供給部４３から電源線２２により電源供給を受けたカメラ用ＣＰＵ８２１は、ＣＰＵ４１の制御によりカメラ用メモリ８２２の保存領域から初期設定データを読み出し、カメラ用メモリ８２２の作業領域の各レジスタへ展開する。
【００２１】
カメラ機能動作状態（ステップＳ３０７）において、カメラモジュール８１は映像を撮り込み、カメラ用ＣＰＵ８２１の制御により光（映像）信号を電気信号（画像データ）へ変換して画像信号処理部８２３へ出力する。画像信号処理部８２３では、入力した信号に対し、カメラ用ＣＰＵ８２１の制御に基づき画像形成処理、画質補正処理、フォーマット変換等の信号処理を行う。このときのカメラ用ＣＰＵ８２１の制御は、カメラ用メモリ８２２の作業領域の各レジスタに展開された初期設定データに従う。すなわち、初期設定データとしてカメラ用メモリ８２２に保存されていた欠陥画素データ、ホワイトバランス制御情報、自動露光調整情報、ＪＥＰＧ圧縮情報などのデータが、画像信号処理部８２３での信号処理に使用される。画像信号処理部８２３で信号処理された信号は、デジタルベースバンド部４へ出力され、ＣＰＵ４１の制御により表示部１０へ表示される。表示部１０に表示されている画像データは、キー操作部９のシャッターボタンが押下されると、メモリ４２または図示しない外部メモリなど所定のメモリへ記憶される。
【００２２】
上記ステップＳ３０５からステップＳ３０７において、カメラ起動キーが押下後、カメラ用メモリ８２２内での初期設定データの展開およびその他の設定を行い表示部１０へ画像が表示されるまでにかかる時間は、本実施の形態１の構成によれば、初期設定時間の約１秒（例えば総容量が１０ｋバイト程度の場合）が短縮されるので１秒程度に半減される。これにより、カメラ機動を待つユーザーの「誤操作をしてしまった」、または「携帯電話機がフリーズしてしまった」といった勘違いを防ぐことができる。尚、ここで費やされる１秒は、表示部１０にソフトキーなどを表示するためのソフトウエア処理に要する時間である。
【００２３】
カメラ終了時、キー操作部９に含まれるカメラ終了キーが押下されると（ステップＳ３０８）、ＣＰＵ４１がカメラ用ＡＳＩＣ８２のカメラ用メモリ８２２以外の部分、すなわちカメラ用ＣＰＵ８２１、画像信号処理部８２３への電源供給を停止するよう電源供給部４３を制御する（ステップＳ３０９）。電源供給が断たれたカメラ用ＣＰＵ８２１、画像信号処理部８２３は動作を停止し、カメラモジュール８１も動作を停止する（カメラ終了、ステップＳ３１０）。このとき、カメラ用メモリ８２２は、引き続いて電源供給を受け、保存領域に初期設定データを保存する状態を維持する（カメラ起動待機状態）。カメラ起動時には前述の動作を繰り返す。
【００２４】
以上のように、この実施の形態１によれば、カメラＡＳＩＣ８２において、カメラ用メモリ８２２のみへの電源供給が可能なように構成し、カメラ起動待機状態では、カメラＡＳＩＣ８２のうちカメラ用メモリ８２２にのみ電源供給を行い、カメラ起動状態では、カメラ用メモリ８２２に加えカメラＡＳＩＣ８２の残りの部分へも電源供給を行うように制御するので、カメラ起動待機状態の消費電力を抑えることができ、携帯電話機の待受け時間を長くすることができる。本実施の形態１の一例においては、カメラ起動待機時にカメラＡＳＩＣ８２全体に電源供給する場合と比較し３０μＡ程度消費電流を削減でき、携帯電話機の待受け時間を２０時間程度長くすることが可能となる。
【００２５】
また、携帯電話機の電源立ち上げ時にカメラ用メモリ８２２へ電源供給するとともに初期設定データを書き込み、カメラ起動待機中にはこの初期設定データをカメラ用メモリ８２２に保持するように制御するので、カメラ起動時の立ち上げ時間が短くユーザーの使い勝手が良い。
【図面の簡単な説明】
【００２６】
【図１】この発明の実施の形態１に係る携帯電話機のブロック図である。
【図２】この発明の実施の形態１に係るカメラ部周辺のブロック図である。
【図３】この発明の実施の形態１に係る携帯電話機の電源制御方法を示すフローチャートである。
【符号の説明】
【００２７】
４１  ＣＰＵ（本体制御部）、    ８２  カメラＡＳＩＣ（カメラ用集積回路）、
８１  カメラモジュール、    ８２１  カメラ用ＣＰＵ（カメラ制御部）、
８２２  カメラ用メモリ、    ８２３  画像信号処理部
【図１】
2005110157.tif 000003
【図２】
2005110157.tif 000004
【図３】
2005110157.tif 000005